(57)【要約】【課題】  上下方向寸法、左右方向寸法とも、正確に且つ容易に製作できるトラック用リヤドアの提供。【解決手段】  上下左右枠１，２，３，４を枠組した枠体５と、枠体に組み込むパネル６とを備え、枠体５は、上下左右枠の長手方向端部を切断して枠組みすることにより任意の上下方向寸法及び左右方向寸法を有するものに調整自在なものであり且つ上下左右枠の内周側にパネルの端部を呑み込む取付溝７ａ，７ｂを有するものであり、パネルは、上下方向寸法が異なる複数種類の横材８ａ，８ｂ，８ｃから適宜選択した複数の横材の長手方向端部を切断し且つ隣接する横材同士を係合することにより、任意の上下方向寸法及び左右方向寸法を有する横張りパネルに調整自在なものであり、枠体５とパネル６とは、上下左右枠のうち少なくとも左右枠の取付溝７ｂ内において固定し、上枠１の取付溝７ａでパネルの上下方向寸法の調整誤差を吸収してあることを特徴とする。【選択図】      図１（ａ）（ｂ）
2005329762.tif 000002
【特許請求の範囲】
【請求項１】
上下左右枠を枠組した枠体と、枠体に組み込むパネルとを備え、枠体は、上下左右枠の長手方向端部を切断して枠組みすることにより任意の上下方向寸法及び左右方向寸法を有するものに調整自在なものであり且つ上下左右枠の内周側にパネルの端部を呑み込む取付溝を有するものであり、パネルは、上下方向寸法が異なる複数種類の横材から適宜選択した複数の横材の長手方向端部を切断し且つ隣接する横材同士を係合することにより、任意の上下方向寸法及び左右方向寸法を有する横張りパネルに調整自在なものであり、枠体とパネルとは、上下左右枠のうち少なくとも左右枠の取付溝内において固定し、上枠の取付溝でパネルの上下方向寸法の調整誤差を吸収してあることを特徴とするトラック用リヤドア。
【請求項２】
上下枠と少なくとも左右何れか一方の縦枠を有し且つこれらの枠を枠組した枠体と、枠体に組み込むパネルとを備え、枠体は、上下枠及び縦枠の長手方向端部を切断して枠組みすることにより任意の上下方向寸法及び左右方向寸法を有するものに調整自在なものであり且つ上下枠及び縦枠の内周側にパネルの端部を呑み込む取付溝を有するものであり、パネルは、左右方向寸法が異なる複数種類の縦材から適宜選択した複数の縦材の長手方向端部を切断し且つ隣接する縦材同士を係合することにより、任意の上下方向寸法及び左右方向寸法を有する縦張りパネルに調整自在なものであり、枠体とパネルとは、上下枠及び縦枠のうち少なくとも上下枠の取付溝内において固定し、縦枠の取付溝でパネルの左右方向寸法の調整誤差を吸収してあることを特徴とするトラック用リヤドア。
【発明の詳細な説明】
【技術分野】
【０００１】
本発明は、トラック用リヤドアに関するものである。
【背景技術】
【０００２】
バン型トラックの箱形の荷室は、リヤ側に荷物を出し入れする開口部を大きく設けてあり、開口部は観音開き式に開閉する左右一対の扉体からなるリヤドアで閉鎖されている。一般にトラック用リヤドアは、厚手のベニヤ板の両面にアルミ板を張り合わせ、周囲を枠で囲った構造となっている。そうしたリヤドアは、内部の木質部分に雨水が浸透して重量が重くなる、木質部分が腐食する、金具類が錆びるといった不都合があった。また、荷室の大きさはメーカーや排気量等によって様々で、それに応じてリヤドアの縦横のサイズを変更しなければならないが、従来のものはベニヤとアルミの一枚板を張り合わせてパネルを形成するので、各板をいちいち違ったサイズに切断しなければならず、製作が面倒であった。
【０００３】
また近年では、特許文献１〜２に開示されているように、アルミ押出形材からなる複数の帯板状パネルを左右方向に連結して構成したものもある。この方式によれば、軽量且つ耐食性に優れたものにできるし、帯板状パネルの切断長さを変えることでドアの上下方向寸法を容易に変更できる。しかし、各帯板状パネルの左右方向寸法は略等しいものを使用するので、ドアの左右方向寸法の変更に精度よく対応することは困難であった。
【特許文献１】特開平８−３１０２４６号公報
【特許文献２】特開平１１−２２９７２４号公報
【発明の開示】
【発明が解決しようとする課題】
【０００４】
本発明は以上に述べたような実情に鑑みてなされたものであって、上下方向寸法、左右方向寸法とも、正確に且つ容易に製作できるトラック用リヤドアの提供を目的とする。
【課題を解決するための手段】
【０００５】
上記の課題を達成するために、請求項１記載の発明によるトラック用リヤドアは、上下左右枠を枠組した枠体と、枠体に組み込むパネルとを備え、枠体は、上下左右枠の長手方向端部を切断して枠組みすることにより任意の上下方向寸法及び左右方向寸法を有するものに調整自在なものであり且つ上下左右枠の内周側にパネルの端部を呑み込む取付溝を有するものであり、パネルは、上下方向寸法が異なる複数種類の横材から適宜選択した複数の横材の長手方向端部を切断し且つ隣接する横材同士を係合することにより、任意の上下方向寸法及び左右方向寸法を有する横張りパネルに調整自在なものであり、枠体とパネルとは、上下左右枠のうち少なくとも左右枠の取付溝内において固定し、上枠の取付溝でパネルの上下方向寸法の調整誤差を吸収してあることを特徴とする。
【０００６】
請求項２記載の発明によるトラック用リヤドアは、上下枠と少なくとも左右何れか一方の縦枠を有し且つこれらの枠を枠組した枠体と、枠体に組み込むパネルとを備え、枠体は、上下枠及び縦枠の長手方向端部を切断して枠組みすることにより任意の上下方向寸法及び左右方向寸法を有するものに調整自在なものであり且つ上下枠及び縦枠の内周側にパネルの端部を呑み込む取付溝を有するものであり、パネルは、左右方向寸法が異なる複数種類の縦材から適宜選択した複数の縦材の長手方向端部を切断し且つ隣接する縦材同士を係合することにより、任意の上下方向寸法及び左右方向寸法を有する縦張りパネルに調整自在なものであり、枠体とパネルとは、上下枠及び縦枠のうち少なくとも上下枠の取付溝内において固定し、縦枠の取付溝でパネルの左右方向寸法の調整誤差を吸収してあることを特徴とする。
【発明の効果】
【０００７】
請求項１記載の発明によるトラック用リヤドアは、枠体が上下左右枠の長手方向端部を切断して枠組みすることで任意の上下方向寸法及び左右方向寸法を有するものに調整自在であり、枠体に組み込むパネルは、横材の切断長さを変更することで左右方向寸法を正確に調整できるし、上下方向寸法は上下方向寸法の異なる複数種類の横材から適宜選択した複数の横材を上下に係合させることで調整可能であり、且つ上枠の取付溝で調整誤差を吸収できるから、任意の上下方向寸法及び左右方向寸法に正確且つ容易に製作できる。
【０００８】
請求項２記載の発明によるトラック用リヤドアは、枠体が上下枠及び縦枠の長手方向端部を切断して枠組みすることで任意の上下方向寸法及び左右方向寸法を有するものに調整自在であり、枠体に組み込むパネルは、縦材の切断長さを変更することで上下方向寸法を正確に調整できるし、左右方向寸法は左右方向寸法の異なる複数種類の縦材から適宜選択した複数の縦材を左右に係合させることで調整可能であり、且つ縦枠の取付溝でその調整誤差を吸収できるから、任意の上下方向寸法及び左右方向寸法に正確且つ容易に製作できる。
【発明を実施するための最良の形態】
【０００９】
以下、本発明の実施の形態を図面に基づいて説明する。図６は、本発明のトラック用リヤドアの第一実施形態を示す正面図であり、左右一対のリヤドア１１ａ，１１ｂが側端部でヒンジ金具１２により荷室１３の縦枠に取付けられ、観音開き式に開閉自在としてある。図６中の符号１４は、リヤドアを閉鎖状態にロックするためのロック装置である。各リヤドア１１ａ，１１ｂは、上枠１、下枠２、左枠３、右枠４を枠組みした枠体５に、複数の横材８を上下に連結した横張りパネル６を組み込んで構成されている。各枠材１，２，３，４、及び各横材８は、アルミニウム合金の押出形材である。
【００１０】
上枠１と下枠２は、図２に示すように、同一の断面形状の押出形材であって、ドア内周側に横材８の上下端部を呑み込む取付溝７ａがコ字状に形成してあり、ドア外周側に開口部の隙間を塞ぐ隙間塞ぎ部１５ａがＬ字状に形成してあり、隙間塞ぎ部１５ａの内面側にガスケット１６ａを取付けてある。左枠３と右枠４は、図４に示すように、ドア内周側に横材８の側端部を呑み込む取付溝７ｂを有し、ドア外周側に隙間塞ぎ部１５ｂを有し、隙間塞ぎ部１５ｂにガスケット１６ｂを取付けてある。取付溝７ｂには、突部１７を設けて横材８の側端面を突き当て、外周側から横材８のタッピングホール２０にビス１９を螺入し、横材８の側端部を取付溝７ｂに固定している。図４中の符号１８は、枠体５を枠組みする際に、左枠３と右枠４を上枠１及び下枠２に連結するビスのためのタッピングホールである。
【００１１】
横張りパネル６を構成する横材８は、図３に示すように、下部材８ａと、一般材８ｂと、補助材８ｃの３種類を用いている。下部材８ａは、パネルの最下部に配置されるもので、下枠２の取付溝７ａの溝底に当接し、室内側から螺入するビス２１で固定される。下部材８ａ、一般材８ｂ、補助材８ｃの上端部には、同一形状の係合部２２を形成してあり、一般材８ｂ、補助材８ｃの下端部には、これに対応した同一形状の被係合部２３を形成してある。係合部２２と被係合部２３は、図５（ａ）に示すように、横材８の一面側（室外側）に形成した円弧状の突起２４と溝２５を係合した上で一方の横材８を回転することで、横材の他面側に形成した突起部２６が他方の部材の凹部２７に弾性係合し、上下の横材８，８をワンタッチで離脱不能に連結できる構造となっている。
【００１２】
一般材８ｂと補助材８ｃとでは上下方向寸法が異なり、一般材８ｂの上下方向寸法Ａは２００ｍｍ、補助材８ｃの上下方向寸法Ｂは１７５ｍｍとなっている。図６の横張りパネル６では、一般材８ｂと補助材８ｃを合わせて１１枚使用しているが、一般材８ｂのみを使用した場合にはそれらを全部合わせた上下方向寸法は２２００ｍｍとなり、そのうち一枚、二枚、三枚…と一枚ずつ多く補助材８ｃと交換していくことで、全体の上下方向寸法は２５ｍｍずつ小さくなる。そして、左枠３及び右枠４の切断長さを変更して、図１（ａ）（ｂ）に示すように、上枠１の取付溝７ａへの横材８上端部の呑み込み深さを変更することで、リヤドアの上下方向寸法Ｈを調整できる。調整シロＸは、一般材８ｂと補強材８ｃの上下方向寸法の差、すなわち２５ｍｍと同じかそれ以上としてあり、したがってリヤドアの上下方向寸法Ｈは、ミリ単位で任意に調整できることとなる。また、リヤドアの左右方向寸法Ｗは、上枠１、下枠２、及び各横材８の切断長さを変更することで、任意に調整できる。
【００１３】
実際にリヤドアを製作する際には、荷室１３の開口寸法に合わせて、リヤドアの上下方向寸法Ｈ、左右方向寸法Ｗが所望の寸法となるように各枠材１，２，３，４を適宜長さで切断し、横張りパネル６の全高さが、その上端部を上枠１の取付溝７ａに呑み込ませることのできる範囲内となるように、横材８を全部で何枚使用するか、そのうちの何枚を補助材８ｃにするかを決定した上で、左右方向寸法Ｗから必要な長さを求めて各横材８を切断して横張りパネル６を組立て、上下左右枠を枠組みして枠体５にパネル６を組み込む。
【００１４】
図７は、本発明のトラック用リヤドアの別の実施形態を示している。左右のリヤドア１１ａ，１１ｂは、上枠１、下枠２、中央側の縦枠２８ａ，２８ｂを枠組みしたコ字形の枠体５に、複数の縦材１０を左右に係合連結して形成した縦張りパネル９を組み込んで構成してある。縦材１０は、側端部側縦材１０ａ、中間縦材１０ｂ，１０ｃ，１０ｄ、中央側縦材１０ｅとがあり、これらは第一実施形態における横材８と同じように、それぞれの側端部に設けた係合部２２と被係合部２３を係合させて左右に連結してある。側端部側縦材１０ａは、本リヤドアの外周側の縦枠を兼用するもので、図８に示すように、外周側に隙間塞ぎ部１５ｂを形成し、ガスケット１６ｂを取付けてある。中間縦材１０ｂ，１０ｃ，１０ｄは、左右方向寸法がそれぞれ異なっており、使用する中間縦材の組み合わせを変更したり、使用する枚数を変えることで、縦張りパネル９の左右方向寸法を調整できる。中央側縦材１０ｅは、図８に示すように、側端部を縦枠２８ａ，２８ｂの取付溝７ｂに呑み込ませてビス２１で固定してあり、その呑み込み深さを変えることで、リヤドアの左右方向寸法Ｗを任意の寸法に正確に調整できる。各縦材１０は、図９に示すように、上下の端部を上枠１と下枠２の取付溝７ａに呑み込ませ、ビス１９で同溝内に固定してある。各縦材１０と縦枠２８ａ，２８ｂの切断長さを変更することで、リヤドアの上下方向寸法Ｈを任意の寸法に正確に調整できる。なお、本実施形態では、リヤドアの外周側側縁部にも縦枠を設け、枠体５を方形に形成してその中に縦張りパネル９を組み込んでも良く、その場合には両側の縦枠の取付溝７ｂで縦張りパネル９の左右方向寸法の調整誤差を吸収できる。
【図面の簡単な説明】
【００１５】
【図１（ａ）（ｂ）】第一実施形態に係るトラック用リヤドアの上枠部分を拡大した縦断面図であって、（ａ）は、上枠の取付溝への横材の呑み込み深さを最も浅くしたときの状態、（ｂ）は、同呑み込み深さを最も深くしたときの状態を示している。
【図２】第一実施形態に係るトラック用リヤドアの縦断面図である。
【図３】同リヤドアを、横張りパネルを分解した状態で示す縦断面図である。
【図４】第一実施形態に係るトラック用リヤドアの横断面図である。
【図５（ａ）（ｂ）】横材同士を係合部と被係合部で連結するときの様子を示す図である。
【図６】本発明のトラック用リヤドアの第一実施形態を示す正面図である。
【図７】本発明のトラック用リヤドアの第二実施形態を示す正面図である。
【図８】第二実施形態に係るトラック用リヤドアの横断面図である。
【図９】第二実施形態に係るトラック用リヤドアの縦断面図である。
【符号の説明】
【００１６】
１  上枠
２  下枠
３  左枠
４  右枠
５  枠体
６  横張りパネル（パネル）
７ａ，７ｂ  取付溝
８  横材
８ａ  下部材（横材）
８ｂ  一般材（横材）
８ｃ  補助材（横材）
９  縦張りパネル（パネル）
１０  縦材
１０ａ  側端部側縦材（縦材）
１０ｂ，１０ｃ，１０ｄ  中間縦材（縦材）
１０ｅ  中央側縦材（縦材）
２８ａ，２８ｂ  縦枠
【図１（ａ）（ｂ）】
2005329762.tif 000003
【図２】
2005329762.tif 000004
【図３】
2005329762.tif 000005
【図４】
2005329762.tif 000006
【図５（ａ）（ｂ）】
2005329762.tif 000007
【図６】
2005329762.tif 000008
【図７】
2005329762.tif 000009
【図８】
2005329762.tif 000010
【図９】
2005329762.tif 000011